(57)【要約】【課題】弾着音の疑似音を発生させた後に散布剤を均一に散布できることに加え、散布剤の散布状況を遠隔から確認することができる散布装置を提供する。【解決手段】本発明の散布装置１は、発射薬２が燃焼することで空中に発射される発射体３と、発射体３に収容された散布剤５と、発射体３に収容され、燃焼することで発射体３を炸裂させると共に散布剤５を空中で散布するガス発生剤６とが備えられている。  この散布装置１は、弾着音の疑似音を発生させた後に散布剤５を均一に散布できることに加え、散布剤５の散布状況を遠隔から確認することができる。【選択図】図１
2018059643.tif 000002
【特許請求の範囲】
【請求項１】
発射薬が燃焼することで空中に発射される発射体と、
前記発射体に収容された散布剤と、
前記発射体に収容され、燃焼することで前記発射体を炸裂させると共に前記散布剤を空中で散布するガス発生剤と、が備えられた、
ことを特徴とする散布装置。
【請求項２】
前記発射体が設けられた発射筒と、
前記発射体に取り付けられ、前記発射薬の燃焼により生じるガス圧を受ける間座と、
前記ガス発生剤が充填され、前記発射体の底部を貫通し、前記発射体に設けられ、かつ前記間座に支持される収容筒と、
が備えられた、
ことを特徴とする請求項１に記載の散布装置。
【請求項３】
前記発射体の底部と、前記間座との間に延期薬が設けられ、
前記収容筒の底部に形成されたガス発生剤挿入口に塞栓が設けられている、
ことを特徴とする請求項２に記載の散布装置。
【請求項４】
点火装置を有し、
この点火装置が遠隔から操作されることで、前記発射薬が発火される、
ことを特徴とする請求項１から請求項３の何れか１項に記載の散布装置。
【請求項５】
前記発射体の先端がテーパ状に形成されている、
ことを特徴とする請求項１から請求項４の何れか１項に記載の散布装置。
【請求項６】
前記発射筒および前記間座が、紙製又はフェルト製であり、
前記発射体が、樹脂製である、
ことを特徴とする請求項２から請求項５の何れか１項に記載の散布装置。
【請求項７】
前記発射筒を固定し、設置面に対する角度が変更可能な設置台を備える、
ことを特徴とする請求項２から請求項６の何れか１項に記載の散布装置。
【発明の詳細な説明】
【技術分野】
【０００１】
本発明は、部隊訓練の際に、訓練者が視認でき、また検知手段で検知できる成分を含有する散布剤を散布する散布装置に関するものである。
【背景技術】
【０００２】
軍事用の部隊訓練は、実際の現場に近似した環境を想定して、実施されている。軍事用の部隊訓練として、例えば、毒ガス攻撃の状況現示を把握したり、毒ガス攻撃されたりするときに対処するための訓練が行われている。
この部隊訓練では、毒ガスの代わりに無毒のガスや液体（以下、散布剤と記す。）が散布され、その後、訓練者が視認でき、また検知手段を使用して、その散布剤の成分を検知する。
【０００３】
これまで、液体を散布する散布装置が複数開示されている（例えば、特許文献１）。
部隊訓練で使用する散布剤の散布装置には、弾着音あるいは弾着音の疑似音を発生させ、散布剤が均一に散布されることが要求される。
この要求に対して、筐体と、この筐体の内部に充填された散布剤と、燃焼することで散布剤を飛散させる火薬とが備えられている散布装置が開発されている。この散布装置は、筐体の内部で火薬を燃焼させたときの発火音を弾着音の疑似音として利用でき、火薬が燃焼した際に発生するガス圧によって散布剤を散布装置の周囲に飛散させることができる。
【先行技術文献】
【特許文献】
【０００４】
【特許文献１】特開２０１６−１０６５７０号公報
【発明の概要】
【発明が解決しようとする課題】
【０００５】
しかし、上述した散布装置は、その周囲に散布剤が飛散する際に、筐体が障害となり、散布剤を均一に散布することができないという問題があった。さらに、散布剤は筐体の内部から飛散するため、遠隔から火薬を燃焼させる操作を行った場合、散布剤の散布状況を把握することが困難であるという問題があった。
【０００６】
そこで、本発明は、弾着音に相当する疑似音を発生させた後に散布剤を均一に散布できることに加え、散布剤の散布状況を遠隔から確認することができる散布装置を提供することを目的とする。
【課題を解決するための手段】
【０００７】
本発明の散布装置は、発射薬が燃焼することで空中に発射される発射体と、発射体に収容された散布剤と、発射体に収容され、燃焼することで発射体を炸裂させると共に散布剤を空中で散布するガス発生剤とが備えられたことを特徴とする。
【０００８】
本発明の散布装置は、発射体が設けられた発射筒と、発射体に取り付けられ、発射薬の燃焼により生じるガス圧を受ける間座と、ガス発生剤が充填され、発射体の底部を貫通し、発射体に設けられ、かつ間座に支持される収容筒とが備えられたことを特徴とする。
【０００９】
本発明の散布装置は、発射体の底部と間座との間に延期薬が設けられ、収容筒の底部に形成されたガス発生剤挿入口に塞栓が設けられていることを特徴とする。
【００１０】
本発明の散布装置は、点火装置を有し、この点火装置が遠隔から操作されることで、発射薬が発火されることを特徴とする。
【００１１】
本発明の散布装置は、発射体の先端がテーパ状に形成されていることを特徴とする。
【００１２】
本発明の散布装置は、発射筒および間座が紙製又はフェルト製であり、発射体が樹脂製であることを特徴とする。
【００１３】
本発明の散布装置は、発射筒を固定し、設置面に対する角度が変更可能な設置台を備えることを特徴とする。
【発明の効果】
【００１４】
本発明の散布装置では、ガス発生剤を空中で着火させることにより発生したガス圧で発射体を炸裂させ、散布剤を空中で飛散させる。空中には障害物がないため、散布剤を地面に均一に散布することができる。また、散布剤は、空中で飛散されるため、発射薬に着火する操作を遠隔から行った場合でも、散布剤の散布状況を確認できる。
さらに、ガス発生剤を空中で発火させることで、発火音が生じるため、この発火音を弾着音の疑似音として利用できる。
【図面の簡単な説明】
【００１５】
【図１】本発明の実施形態に係る散布装置の断面図である。
【発明を実施するための形態】
【００１６】
本実施形態に係る散布装置について説明する。
この散布装置は、例えば、部隊訓練の際に訓練者が視認でき、また検知手段によって検知できる成分を含む散布剤を散布するために使用される。
散布装置１は、図１に示すように、点火装置が付属された発射薬２と、点火装置の上から取り付けられる発射筒４と、この発射筒４の内部に設けられている発射体３と、ガス発生剤６が充填され、発射体３の内部に取り付けられている収容筒８と、発射体３の内部に充填されている散布剤５と、発射体３の下端部に設けられている間座７とを備えている。
【００１７】
［発射薬２］
発射薬２は、点火、燃焼されることで、ガスを発生し、このガス圧が発射体３に推進力を加えることにより、発射体３が空中に発射される。発射薬２には、例えば、黒色火薬などを使用することができる。発射薬２の仕込み量は、散布剤５やガス発生剤６を含めた発射体３の重量、発射体３の飛行距離等を考慮して、適宜決定することができる。
また、本実施形態では、点火装置が付属されている発射薬２を使用する。この点火装置は、円盤状の台座９を有し、遠隔からの操作によって、発射薬２に点火できる機能を有する。
【００１８】
［発射筒４］
発射筒４は、円筒状のものであり、この発射筒４には、紙製のものを使用することができ、例えば、強度の大きいボール紙を使用できる。
発射筒４の直径は、台座９の直径とほぼ等しく設計され、発射筒４は点火装置の台座９に取り付けられる。
【００１９】
［発射体３］
発射体３は、円筒状であり、蓋部３Ａ、胴体部３Ｂおよび底部３Ｃから構成されている。この発射体３には、樹脂製のものを使用できる。
蓋部３Ａは、その中心から下側に向けて拡径し、テーパ状に形成されている。一方、底部３Ｃは、胴体部３Ｂと連結している円縁から、中心に向けて上側に縮径している。また、底部３Ｃの中心には、貫通孔１０が形成されている。
【００２０】
［間座７］
間座７は、円盤状であり、その直径は、発射筒４の直径とほぼ等しく設計され、中心に取付け孔１１が形成されている。間座７は紙製又はフェルト製であり、この間座７には、例えば、ボール紙を積層させたものや、ボール紙の間にフェルトを挟んだものを使用することができる。
間座７は、発射体３の底部３Ｃを覆うように、発射体３に取り付けられている。発射体３の底部３Ｃは、内側に凹んでいるため、この底部３Ｃと間座７との間には空間が形成され、この空間に延期薬１２が充填されている。延期薬１２には、例えば、過酸化バリウム、鉛丹、クロム酸鉛に各種金属または合金の粉末が混合された混合物などを使用することができる。
【００２１】
［収容筒８］
収容筒８は、樹脂性であり、底部にガス発生剤挿入口１３が形成されている。このガス発生剤挿入口１３から収容筒８にガス発生剤６が充填される。ガス発生剤６の充填後、ガス発生剤挿入口１３に塞栓１４が設けられる。この収容筒８は発射体３の内部かつ発射方向に沿って収容され、その下部が貫通孔１０を介して、発射体３の底部３Ｃから外部に露出されている。そして、収容筒８の下端部は間座７の取付け孔１１に取り付けられている。
ガス発生剤６は、収容筒８に収容されることで、散布剤５から完全に隔離されている。このガス発生剤６は、燃焼することで発生するガス圧で発射体３を炸裂させる。ガス発生剤６には、例えば、シングルベース、ダブルベース、トリプルベースおよびマルチベース等の無煙火薬などを使用することができ、ガス発生剤６の充填量は、散布剤５が散布される範囲を考慮して決定される。本実施形態の散布装置１では、散布剤５の散布半径は３ｍから５ｍである。
【００２２】
［散布剤５］
散布剤５には、訓練者が視認でき、また検知手段で検知する成分が含有されているものを使用する。散布剤５は、収容筒８の周囲に充填される。
この散布剤５には、固体、液体、気体、又はこれらの混合物を使用できる。例えば、液体状の散布剤５には、ポリエチレングリコール水溶液、ポリビニルアルコール水溶液を使用することができる。これらの水溶液は、粘性を有するため、地面に粘着させやすい。また、散布剤５を着色したり、散布剤５に特有の臭いを有する成分を含有させたりすることもできる。散布剤５の種類や状態等は、部隊訓練で想定する状況に応じて、適宜決定する。
【００２３】
次に、散布装置１の動作について説明する。
まず、散布剤５を散布したい位置に散布装置１を設置する。次に、遠隔から点火装置を操作し、発射薬２に着火する。着火された発射薬２が燃焼されることで、ガスが発生し、このガスからの圧力が、間座７に加わる。間座７は発射体３に取り付けられているため、間座７がガス圧を受けることで、発射体３が散布装置１の真上に発射される。そして、間座７を介して、発射薬２の発生した火炎が延期薬１２に伝わり、延期薬１２が着火される。
発射体３が空中に発射された後、延期薬１２が燃焼し、その燃焼熱が収容筒８の内部に伝わることで、ガス発生剤６が着火される。ガス発生剤６が燃焼すると、それによって発生するガス圧によって、発射体３が炸裂される。
そうすると、発射体３の散布剤５は、空中で飛散され、地面に散布される。
散布剤５が地面に散布された後、訓練者は、散布剤５が散布された位置まで向かい、散布剤５の成分を視認または検知手段で調べる。
【００２４】
次に、本実施形態に係る散布装置１の作用効果について説明する。
散布装置１によれば、発射筒４から発射された発射体３は、空中で炸裂するため、散布剤５は発射筒４に妨げられることなく飛散される。そのため、散布剤５を地面に均一に散布することができる。
また、散布剤５は、空中で飛散されるため、発射薬２に着火する操作を遠隔から行った場合でも、散布剤５の散布状況を確認できる。この散布剤５には、毒ガス成分の代わりに安全な化学物質を使用するため、安全に部隊訓練を遂行することができる。
【００２５】
また、散布装置１によれば、ガス発生剤６が空中で発火した際に発火音が生じるため、この発火音を疑似弾着音として利用できる。そのため、遠隔操作をした場合でも疑似弾着音を現示できる。
また、発射体３の蓋部３Ａは、テーパ状に形成されているため、発射体３が空中を飛行しているときに発射体３に加わる空気抵抗を小さくすることができる。そのため、発射体３の蓋部３Ａをテーパ状に形成していないものと比較し、発射体３を所定の高さまで到達させるための発射薬２の仕込み量を削減できる。また、発射体３の底部３Ｃを内側に凹ませ、その底部３Ｃの下側に間座７を設けることで、延期薬１２を充填できる空間を容易に形成できる。また、間座７は、延期薬１２を充填する空間を形成することに加え、収容筒８を支持し、発射薬２からのガス圧を受ける役割を担う。
【００２６】
以上、本実施形態について説明したが、これ以外にも、本発明の主旨を逸脱しない限り、上記実施の形態で挙げた構成を取捨選択したり、他の構成に適宜変更したりすることが可能である。
例えば、散布装置１には、発射筒４を固定し、地面に対する角度が変更可能な設置台を設けることもできる。この設置台の角度を変更することで、発射体３を任意の方向に発射させることもできる。
また、本実施形態では、点火装置が設けられている台座９の上から発射筒４を設けた散布装置について説明したが、発射筒は、底部を設けて一体的に形成することもできる。この場合、底部の上に発射薬２を設ける。
【符号の説明】
【００２７】
１      散布装置
２      発射薬
３      発射体
３Ａ    蓋部
３Ｂ    胴体部
３Ｃ    底部
４      発射筒
５      散布剤
６      ガス発生剤
７      間座
８      収容筒
９      台座
１０    貫通孔
１１    取付け孔
１２    延期薬
１３    ガス発生剤挿入口
１４    塞栓
【図１】
2018059643.tif 000003